【手続補正書】
【提出日】平成16年1月21日(2004.1.21)
【手続補正１】
【補正対象書類名】特許請求の範囲
【補正対象項目名】全文
【補正方法】変更
【補正の内容】
【特許請求の範囲】
【請求項１】
被験者の心血管系の生理的パラメータの絶対測定値を少なくとも一つ測定する方法であって、
ａ．被験者の心血管系に、検出可能量の少なくとも一つの指示薬を投与すること、
ｂ．前記心血管系内の前記指示薬を励起するために第一波長光を照射し、前記指示薬に第二波長光を発光させること、
ｃ．前記被験者の検出領域近くに置かれた少なくとも一つの光検出器を用いて、前記循環系内の前記指示薬が発光する第二波長光の強度の大きさを検出すること、
ｄ．検出された前記第二波長光の強度の大きさを数学的に解析して、前記被験者の少なくとも一つの心血管系の生理的パラメータの絶対測定値を算出すること、
を含む、方法。
【請求項２】
前記指示薬が発光する第二波長光が前記指示薬の蛍光によって生じる、請求項１に記載の方法。
【請求項３】
さらに、前記被験者から指示薬を含む血液試料を採取し、前記血液試料内の前記指示薬を励起するために第一波長光を照射し、前記血液試料が発光する第二波長光の強度を検出し、前記血液試料が発光する第二波長光の強度を前記循環系内の指示薬が発光する第二波長光の強度と比較することによって、被験者の心血管系の一つのパラメータの測定値を較正することを含む、請求項１に記載の方法。
【請求項４】
前記心血管系の測定パラメータが心拍出量であり、
さらに、前記指示薬が発光する第二波長光の強度の大きさをある期間にわたって検出すること、前記期間の強度の大きさ曲線を作成することを含み、また心拍出量の数学的解析が、少なくとも一つのモデル方程式への曲線当てはめ、又は数値積分法を含む、請求項１に記載の方法。
【請求項５】
さらに、前記心拍出量を前記被験者の体重又は前記被験者の体表面積のいずれかの関数として表わすことによって、心係数を算出することを含む、請求項４に記載の方法。
【請求項６】
前記心血管系の測定パラメータが循環血液量であり、
さらに、前記指示薬が発光する第二波長光の強度の大きさをある期間にわたって検出すること、前記期間の強度の大きさ曲線を作成することを含み、また循環血液量の数学的解析が、前記強度曲線の低速期を逆外挿して、循環血液量を決定することを含む、請求項１に記載の方法。
【請求項７】
前記光検出器が、経皮検出領域、皮下検出領域、末梢血管検出領域、又は血管内検出領域の少なくとも一つに配置される、請求項１に記載の方法。
【請求項８】
前記検出が、透過モード又は反射モードのいずれかで行われる、請求項１に記載の方法。
【請求項９】
前記被験者の心血管系の値が変化したか否かを決定するために、ａ−ｄのステップをある時間間隔で反復する、請求項１に記載の方法。
【請求項１０】
さらに、前記患者を刺激処理し、前記刺激を受けた後で前記被験者の心血管系の値が変化したか否かを決定するために、ａ−ｄのステップをある時間間隔で反復する、請求項１に記載の方法。
【請求項１１】
前記検出領域において前記第二波長光を検出する前に、前記検出領域が、加熱又は薬理学的に動脈血化される、請求項１に記載の方法。
【請求項１２】
前記第一波長光が約７５０ｎｍ〜約１０００ｎｍの範囲内である、請求項１に記載の方法。
【請求項１３】
前記指示薬が約４００ｎｍ〜約１０００ｎｍの範囲内の第二波長光を発光する発色団又は蛍光体である、請求項１に記載の方法。
【請求項１４】
前記蛍光体が、インドシアニングリーン、フルオレセイン、及びローダミンを含む群から選択される、請求項１に記載の方法。
【請求項１５】
被験者の心血管系の少なくとも一つの生理的パラメータの絶対測定値を測定する方法であって、
被験者の心血管系に、検出可能量の少なくとも一つの指示薬を投与すること、
前記心血管系内の前記指示薬を励起するために第一波長光を照射し、前記指示薬に波長が約７５０ｎｍ〜約１０００ｎｍの範囲内である第二波長光を発光させること、
前記被験者の検出領域近くに置かれた少なくとも一つの光検出器を用いて、前記循環系内の前記指示薬が発光する第二波長光の強度の大きさを検出すること、
検出された前記第二波長光の強度の大きさを数学的に解析して、前記被験者の心血管系の生理的パラメータの絶対測定値を少なくとも一つ算出すること、
を含む方法。
【請求項１６】
前記心血管系の測定パラメータが心拍出量であり、
さらに、前記指示薬が発光する第二波長光の強度の大きさをある期間にわたって検出すること、前記期間の強度の大きさ曲線を作成することを含み、また心拍出量の数学的解析が、少なくとも一つのモデル方程式への曲線当てはめ、又は数値積分法を含む、請求項１５に記載の方法。
【請求項１７】
前記方法がさらに、前記心拍出量を前記被験者の体重又は前記被験者の体表面積のいずれかの関数として表わすことによって、心係数を算出することを含む、請求項１６に記載の方法。
【請求項１８】
前記心血管系の測定パラメータが循環血液量であり、
さらに、前記指示薬が発光する第二波長光の強度の大きさをある期間にわたって検出すること、前記期間の強度の大きさ曲線を作成することを含み、また循環血液量の数学的解析が、前記強度曲線の低速期を逆外挿して、循環血液量を決定することを含む、請求項１５に記載の方法。
【請求項１９】
前記光検出器が、経皮検出領域、皮下検出領域、末梢血管検出領域、又は血管内検出領域の少なくとも一つに配置される、請求項１５に記載の方法。
【請求項２０】
前記検出が、透過モード又は反射モードのいずれかで行われる、請求項１５に記載の方法。
【請求項２１】
前記被験者の心血管系の値が変化したか否かを決定するために、ａ−ｄのステップを特定の時間間隔で反復する、請求項１５に記載の方法。
【請求項２２】
さらに、前記患者を刺激処理し、前記刺激を受けた後で前記被験者の心血管系の値が変化したか否かを決定するために、ａ−ｄのステップを特定の時間間隔で反復する、請求項１５に記載の方法。
【請求項２３】
前記検出領域において前記第二波長光を検出する前に、前記検出領域が、加熱又は薬理学的に動脈血化される、請求項１５に記載の方法。
【請求項２４】
被験者の心血管系パラメータを測定するシステムであって、
前記心血管系内にある指示薬を励起するための第一波長光を供給して、前記指示薬に第二波長光を発光させるために、前記心血管系の少なくとも一つの血管に隣接して位置するように構成された照射源、
前記心血管系内にある前記指示薬が発光する第二波長光の強度の大きさを検出して、検出された前記第二波長光の強度の大きさに比例する電子シグナルを計算システムに伝送するために、前記被験者の心血管系の少なくとも一つの血管に隣接して位置するように構成された光検出器、
前記被験者の心血管系の生理的パラメータの絶対測定値を少なくとも一つ算出するために、前記電子シグナルを受信して、前記検出強度の大きさを数学的に解析する、前記計算システム、
を含むシステム。
【請求項２５】
さらに、前記照射源からの第一波長光を前記検出領域にガイドするために、前記照射源に動作可能に接続された少なくとも一つの光ファイバープローブを含む、請求項２４に記載のシステム。
【請求項２６】
さらに、前記検出領域からの第二波長光を前記光検出器にガイドするために、前記光検出器に動作可能に接続された少なくとも一つの光ファイバープローブを含む、請求項２４に記載のシステム。
【請求項２７】
さらに、選択周波数で前記第一波長光を変調するために前記照射源に動作可能に接続され、さらに選択周波数で前記第二波長光の検出をフィルタするために光検出器に動作可能に接続されたロックイン増幅器を少なくとも一つ含む、請求項２４に記載のシステム。
【請求項２８】
前記心血管系の測定パラメータが心拍出量であり、
さらに、前記指示薬が発光する第二波長光の強度の大きさをある期間にわたって検出すること、前記期間の強度の大きさ曲線を作成することを含み、また心拍出量の数学的解析が、少なくとも一つのモデル方程式への曲線当てはめ、又は数値積分法を含む、請求項２４に記載のシステム。
【請求項２９】
さらに、前記心拍出量を前記被験者の体重又は前記被験者の体表面積のいずれかの関数として表わすことによって、心係数を算出することを含む、請求項２８に記載のシステム。
【請求項３０】
前記心血管系の測定パラメータが循環血液量であり、
さらに、前記指示薬が発光する第二波長光の強度の大きさをある期間にわたって検出すること、前記期間の強度の大きさ曲線を作成することを含み、また循環血液量の数学的解析が、前記強度曲線の低速期を逆外挿して、循環血液量を決定することを含む、請求項２４に記載のシステム。
【請求項３１】
前記光検出器が、経皮検出領域、皮下検出領域、末梢血管検出領域、又は血管内検出領域の少なくとも一つに配置するように構成される、請求項２４に記載のシステム。
【請求項３２】
前記第一波長光が約７５０ｎｍ〜約１０００ｎｍの範囲内である、請求項２４に記載のシステム。
【請求項３３】
前記指示薬が約４００ｎｍ〜約１０００ｎｍの範囲内の第二波長光を発光する発色団又は蛍光体である、請求項２４に記載のシステム。
【請求項３４】
さらに、前記第二波長光を実質的に分離するために、前記指示薬が発光する光をフィルターすることを含む、請求項１に記載の方法。
【請求項３５】
さらに、前記第二波長光を実質的に分離するために、前記指示薬が発光する光をフィルターすることを含む、請求項１５に記載の方法。
【請求項３６】
さらに、前記第二波長光を実質的に分離するために、前記指示薬が発光する光をフィルターするために構成されるフィルターを含む、請求項２４に記載のシステム。